(57)【要約】【課題】トレイのイジェクト動作中またはローディング動作中にカートリッジの取り出しが出来ないようにする。【解決手段】装置本体１１に対して引き出された引出位置と装置本体１１内部に収納された収納位置との間を移動可能なトレイ１２を設け、情報を記録又は再生するディスクを内包したカートリッジ１３をトレイ１２に載置し、カートリッジ１３を装置本体１１内のディスク駆動部にローディングさせるディスク装置であって、トレイ１２の前方側の端部に、カートリッジ１３のトレイ１２からの取り出しを防止する阻止部材３３、３４を設け、引出位置では、阻止部材３３、３４によるカートリッジ１３への阻止が解除されることを特徴とするディスク装置。【選択図】        図３
2006351060.tif 000002
【特許請求の範囲】
【請求項１】
装置本体に対して引き出された引出位置と前記装置本体内部に収納された収納位置との間を移動可能なトレイを設け、情報を記録又は再生するディスクを内包したカートリッジを前記トレイに載置し、前記カートリッジを前記装置本体内のディスク駆動部にローディングさせるディスク装置であって、前記トレイの前方側の端部に、前記カートリッジの前記トレイからの取り出しを防止する阻止部材を設け、前記引出位置では、前記阻止部材による前記カートリッジへの阻止が解除されることを特徴とするディスク装置。
【請求項２】
前記トレイの側壁に沿ってリンク棒を配置し、前記リンク棒の端部を前記阻止部材に連結し、前記引出位置では前記リンク棒が前記装置本体側に引っ張られることで前記阻止部材が動作することを特徴とする請求項１に記載のディスク装置。
【請求項３】
前記阻止部材をＬ字型板材で構成し、前記Ｌ字型板材の一方の板部によって前記カートリッジの取り出しを阻止し、前記Ｌ字型板材の他方の板部によって前記リンク棒の一方の端部との連結部を構成し、前記連結部を前記トレイの側壁に回動自在に固定し、前記リンク棒の他方の端部には屈曲部を有し、前記屈曲部と前記トレイの側壁とをバネで連結したことを特徴とする請求項２に記載のディスク装置。
【発明の詳細な説明】
【技術分野】
【０００１】
本発明は、装置本体に対して引き出された引出位置と装置本体内部に収納された収納位置との間を移動可能なトレイを設け、情報を記録又は再生するディスクを内包したカートリッジをトレイに載置し、カートリッジを装置本体内のディスク駆動部にローディングさせるディスク装置に関する。
【背景技術】
【０００２】
装置本体に対して引き出された引出位置と本体装置内部に収納された収納位置との間を移動可能なトレイを有し、このトレイにカートリッジが載せられた後、装置本体内のディスク駆動部にローディングさせるディスク装置においては、カートリッジを載せたトレイのイジェクトが完全に完了していないイジェクト動作途中またはローディングが完全に完了していないローディング動作途中において、カートリッジを抜去することができる構成となっている（たとえば、特許文献１参照）。
【特許文献１】特開２００0−１８７９１８号公報（（００３８）および図４など）
【発明の開示】
【発明が解決しようとする課題】
【０００３】
しかしながら、特許文献１に記載されているような従来の構成では、シャッタがバネ等で付勢されていないタイプのカートリッジ（ＢＤ等）を使用した場合に、トレイのイジェクト動作途中またはローディング動作途中にカートリッジが抜去されると、カートリッジに設けられたシャッタが完全に閉まる前にカートリッジが抜去されることになる。したがって、シャッタが開いた状態のままとなり、ディスクへの埃の付着や傷つき等によりデータを破壊してしまうおそれがあった。
また、トレイを垂直方向に配置したいわゆる縦置きのディスク装置においては、トレイ移動時の衝撃により、カートリッジがトレイから脱落するおそれがあった。
【０００４】
本発明は、このような課題を解決するもので、トレイのイジェクト動作またはローディング動作が完全に完了するまでは、カートリッジの取り出しが出来ないようにして、カートリッジに設けられたシャッタが開いた状態のままではカートリッジを抜去できないようにしたディスク装置を提供することを目的とする。
また、縦置きの場合にトレイ移動時の衝撃が加わってもカートリッジがトレイから脱落することがないディスク装置を提供することを目的とする。
【課題を解決するための手段】
【０００５】
請求項１記載の本発明のディスク装置は、装置本体に対して引き出された引出位置と前記装置本体内部に収納された収納位置との間を移動可能なトレイを設け、情報を記録又は再生するディスクを内包したカートリッジを前記トレイに載置し、前記カートリッジを前記装置本体内のディスク駆動部にローディングさせるディスク装置であって、前記トレイの前方側の端部に、前記カートリッジの前記トレイからの取り出しを防止する阻止部材を設け、前記引出位置では、前記阻止部材による前記カートリッジへの阻止が解除されることを特徴とする。
請求項２記載の本発明は請求項１に記載のディスク装置において、前記トレイの側壁に沿ってリンク棒を配置し、前記リンク棒の端部を前記阻止部材に連結し、前記引出位置では前記リンク棒が前記装置本体側に引っ張られることで前記阻止部材が動作することを特徴とする。
請求項３記載の本発明は請求項２に記載のディスク装置において、前記阻止部材をＬ字型板材で構成し、前記Ｌ字型板材の一方の板部によって前記カートリッジの取り出しを阻止し、前記Ｌ字型板材の他方の板部によって前記リンク棒の一方の端部との連結部を構成し、前記連結部を前記トレイの側壁に回動自在に固定し、前記リンク棒の他方の端部には屈曲部を有し、前記屈曲部と前記トレイの側壁とをバネで連結したことを特徴とする。
【発明の効果】
【０００６】
本発明のディスク装置によれば、トレイのイジェクト動作が完全に完了していないとき、または、ローディング中はカートリッジの取り出しが出来ないので、カートリッジに設けられたシャッタが完全に閉まっていない状態でカートリッジが取り出されたり、放置されることは無く、ディスクへの埃の付着、キズ付き等によるデータ破壊の恐れがなくなり、使用者は安心して快適に操作することが出来る。
また、ディスク装置を縦置きで使用した場合に、トレイのイジェクト動作中やローディング動作中にカートリッジが脱落することを防止することができる。
【発明を実施するための最良の形態】
【０００７】
本発明の第１の実施の形態によるディスク装置は、トレイの前方側の端部に、カートリッジのトレイからの取り出しを防止する阻止部材を設け、引出位置では、阻止部材によるカートリッジへの阻止が解除されるものである。本実施の形態によれば、トレイのイジェクト動作が完全に完了していないイジェクト動作中やローディング動作中は、カートリッジが保持部材で保持されて取り出しが出来ないので、カートリッジのシャッタが完全に閉まっていない状態で取り出しされたり、放置されることは無く、ディスクへの埃の付着、キズ付き等によるデータ破壊の恐れがなくなり、使用者は安心して快適に操作することが出来る。また、ディスク装置を縦置きで使用したときに、トレイのイジェクト動作中やローディング動作中にカートリッジが脱落することを防止することができる。
本発明の第２の実施の形態は、第１の実施の形態によるディスク装置において、トレイの側壁に沿ってリンク棒を配置し、リンク棒の端部を阻止部材に連結し、引出位置ではリンク棒が装置本体側に引っ張られることで阻止部材が動作するものである。本実施の形態によれば、トレイの動作を利用して阻止部材を動作させることができる。
本発明の第３の実施の形態は、第２の実施の形態によるディスク装置において、阻止部材をＬ字型板材で構成し、Ｌ字型板材の一方の板部によってカートリッジの取り出しを阻止し、Ｌ字型板材の他方の板部によってリンク棒の一方の端部との連結部を構成し、連結部をトレイの側壁に回動自在に固定し、リンク棒の他方の端部には屈曲部を有し、屈曲部とトレイの側壁とをバネで連結したものである。本実施の形態によれば、簡単な構成によりカートリッジの取り出しを防止することができる。
【実施例】
【０００８】
以下本発明の実施例について図面とともに詳細に説明する。
図１は本発明の実施例におけるディスク装置の上蓋を外した状態で、トレイのイジェクト途中の状態における要部構成を示す平面図、図２は同状態における要部側面図、図３は同ディスク装置のトレイを引出位置まで引き出した状態を示す要部平面図、図４は同状態における要部側面図である。
本実施例におけるディスク装置は、装置本体１１とトレイ１２から構成されている。トレイ１２は、装置本体１１に対して引き出された引出位置と装置内部に収納された収納位置との間を移動可能に設けられ、情報を記録又は再生するディスクまたはディスク（図２参照）を内包したカートリッジ１３を載置して、装置本体１１に設けられたトレイ操作スイッチ（図示省略）を操作することにより、カートリッジ１３を引出位置から収納位置へ搬送し、あるいは、収納位置から引出位置に搬送する。カートリッジ１３はトレイ１２の移動に応じて開閉するシャッタ１４を有しており、トレイ１２が装置本体１１から引き出されてイジェクト動作が完全に完了しているとき（引出位置）は、カートリッジ１３内のディスクへの埃の付着や傷つき等を防止するため、シャッタ１４は閉じられている。
カートリッジ１３には、位置決め孔１５、１６が形成されており、トレイ１２が装置本体１１の内部に収納されたときに、装置本体１１に設けられている位置決めピン（図示省略）と係合してカートリッジ１３の位置決めが行われる。
【０００９】
装置本体１１にはクランパ２０が設けられ、トレイ１２が装置本体１１の内部に収納されたときに、トレイ１２に載置されているディスクまたはカートリッジ１３内のディスクを装置本体１１に設けられているディスクモータ（図示省略）に押圧する。
また、装置本体１１にはカートリッジ１３のシャッタ１４を開閉するシャッタ開閉装置（図示省略）が設けられている。
トレイ１２の両側の側面に沿って、トレイ１２の全長より長さが短いリンク棒３１、３２が配置されており、リンク棒３１、３２のトレイ１２前方側（引き出し側）の端部には金属または樹脂で形成されたＬ字型板材からなる阻止部材３３、３４が設けられている。阻止部材３３の一方の板部３３１、３４１は、トレイ１２の上部からカートリッジ１３の表面を覆うように構成している。
阻止部材３３の他方の板部３３２は、リンク棒３１との連結板部を構成しており、板部３３２の中間点３３３がトレイ１２の側壁１２１に回動自在に固定されており、板部３３２の端部３３４がリンク棒３１の一端に固定されている。阻止部材３４も同様にトレイ１２の反対側の側壁１２１およびリンク棒３２に固定されている。
リンク棒３１の装置本体１１側の端部は、ガイド３５を通って先端が装置本体１１内に屈曲し、Ｌ字型部３１１を形成している。このＬ字型部３１１の角部とトレイ１２の側壁１２１間にバネ３６が固定されている。リンク棒３２も同様にガイド３５を通って先端が装置本体１１内に屈曲してＬ字型部３１１が形成されており、このＬ字型部３１１の角部とトレイ１２の反対側の側壁１２１間にバネ３６が固定されている。
【００１０】
つぎに、本実施例の動作を説明する。
ディスク装置の記録再生動作状態では、シャッタ１４は開いた状態にあり、阻止部材３３、３４は一方の板部３３１、３４１がトレイ１２の上部、すなわちカートリッジ１３の上部に配置されている。この状態で装置本体１１に設けられたトレイ操作スイッチ（図示省略）でイジェクト操作すると、トレイ１２は装置本体１１からイジェクトを開始し、図２の矢印Ａ方向に移動して装置本体１１から引き出される。このイジェクトの過程では、カートリッジ１３の端部において阻止部材３３、３４の一方の板部３３１、３４１が配置されているので、カートリッジ１３をトレイ１２から取り出すことはできない。
【００１１】
そして、トレイ１２が引出位置に近づくにつれてＬ字型部３１１が装置本体１１の壁面１１１に近づく。同様に、リンク棒３２もＬ字型部３１１が装置本体１１の壁面１１１に近づく。なお、トレイ１２のイジェクト動作につれて、シャッタ１４はシャッタ開閉装置により徐々に閉じられる。この間もカートリッジ１３の端部が阻止部材３３、３４の保持部材３３１、３４１により、カートリッジ１３をトレイ１２から抜去させることはできない。
【００１２】
更に、トレイ１２が引出位置に近づくと、Ｌ字型部３１１が装置本体１１の壁面１１１に接触し、トレイ１２がさらに矢印Ａ方向に移動すると、トレイ１２の側壁１２１に固定されているバネ３６が伸張する。バネ３６の他端はリンク棒３１のＬ字型部３１１の角部に固定されているので、バネ３６が伸張するとともにリンク棒３１は矢印Ａ方向と反対側に引っ張られる。したがって、リンク棒３１は他方の板部３３２の中間点３３３を支点として他方の板部３３２を時計方向に回転させながらガイド３５内を上昇する。この結果、カートリッジ１３の表面端部を押えている一方の板部３３１はカートリッジ１３の上部から外れてトレイ１２の前端側に回動し、カートリッジへの阻止は解除される。カートリッジ１３の反対側のリンク棒３２も同様に動作して阻止部材３４の一方の板部３４１によるカートリッジへの阻止は解除される。こうして、阻止部材３３、３４によるカートリッジへの阻止が解除されると、カートリッジ１３をトレイ１２から抜去させることができる。
【００１３】
トレイ１２が引出位置に達した状態では、シャッタ１４は閉じられて、カートリッジ１３内のディスクはカートリッジ１３の筺体およびシャッタ１４により保護されて、埃が付着したり傷がついたりすることが防止される。したがって、カートリッジ１３を安心してトレイ１２から抜去させることができる。
【００１４】
ディスク装置にカートリッジ１３をローディングさせる場合は、まず、トレイ１２をイジェクト終了位置に引き出す。このとき、図３、図４のように阻止部材３３、３４の一方の板部３３１、３４１はトレイ１２の前端側に位置している。この状態でトレイ１２にシャッタ１４の閉じたカートリッジ１３を載置し、装置本体１１に設けられたトレイ操作スイッチ（図示省略）でローディング操作すると、トレイ１２はローディングを開始し、図２の矢印Ａ方向と反対側に移動して装置本体１１に収納される。トレイ１２のローディングにつれてバネ３６の伸張が解除され、リンク棒３１は矢印Ａ方向に引っ張られて他方の板部３３２の中間点３３３を支点として他方の板部３３２を反時計方向に回転させながらガイド３５内を下降する。したがって、図２のように、阻止部材３３の一方の板部３３１がカートリッジ１３の上部位置に回動してカートリッジ１３の取り出しを阻止する。カートリッジ１３の反対側のリンク棒３２も同様に動作して阻止部材３４の一方の板部３４１がカートリッジ１３の上部に配置される。この結果、ローディング動作の途中ではカートリッジ１３をトレイ１２から抜去させることができなくなる。
【００１５】
トレイ１２のローディング動作がさらに続くと、リンク棒３１のＬ字型部３１１が装置本体１１の壁面１１１から離れ、阻止部材３３、３４の一方の板部３３１、３４１がカートリッジ１３の上部に配置してカートリッジ１３の取り出しを防止しながら装置本体１１内に収納されていく。トレイ１２のローディング動作につれて、シャッタ１４はシャッタ開閉装置により徐々に開かれて装置本体１１における記録再生に備える。こうしてローディング動作は終了する。
【００１６】
以上説明したように、本実施例によれば、トレイのイジェクト動作中またはローディング動作中は、カートリッジの取り出しが出来ないようにして、カートリッジのシャッタが開いた状態のままではカートリッジを抜去できないようにし、イジェクト動作が終了したときのみカートリッジの取り出すことができる。したがって、カートリッジのシャッタが完全に閉まっていない状態で取り出されたり、放置されることは無く、ディスクへの埃の付着、キズ付き等によるデータ破壊の恐れがなくなり、使用者は安心して快適に操作することが出来る。また、ディスク装置を縦置きで使用したときに、トレイのイジェクト動作中やローディング動作中にカートリッジが脱落することを防止することができる。
【産業上の利用可能性】
【００１７】
本発明は、光磁気ディスクやミニディスクなどの情報を記録又は再生するディスクをカートリッジに収納したディスク装置に適用することができる。
【図面の簡単な説明】
【００１８】
【図１】本発明の実施例におけるディスク装置の上蓋を外した状態で、トレイのイジェクト途中の状態における要部構成を示す平面図
【図２】同状態における要部側面図
【図３】同ディスク装置のトレイを引出位置まで引き出した状態を示す要部平面図
【図４】同状態における要部側面図
【符号の説明】
【００１９】
１１  装置本体
１２  トレイ
１３  カートリッジ
１４  シャッタ
１５、１６  位置決め孔
３１、３２  リンク棒
３３、３４  阻止部材
３５  ガイド
３６  バネ
１１１  壁面
１２１  側壁
３１１  Ｌ字型部
３３１、３４１  板部
３３２  板部
【図１】
2006351060.tif 000003
【図２】
2006351060.tif 000004
【図３】
2006351060.tif 000005
【図４】
2006351060.tif 000006